(57)【要約】【課題】より見た目に風合いがあり、より転倒しにくい標識塔を提供する。【解決手段】本考案によって提供される標識塔Ａは、接地部１１、および、この接地部１１から上方に延出し、側面に表示領域１ａを有する塔状部１２を備える標識本体１と、標識本体１に対して上方から着脱可能に套嵌され、表示領域１ａを外部に臨ませる窓部２ａを備えるカバー体２と、を備えており、カバー体２は、発泡スチロール製の基体の露出表面を天然石または人造石を粉砕して得られた骨材を含む石目層で覆って形成されていることを特徴とする。【選択図】図１
0003134732.tif 000002
【実用新案登録請求の範囲】
【請求項１】
接地部、および、この接地部から上方に延出し、側面に表示領域を有する塔状部を備える標識本体と、
上記標識本体に対して上方から着脱可能に套嵌され、上記表示領域を外部に臨ませる窓部を備えるカバー体と、を備える標識塔であって、
上記カバー体は、発泡スチロール製の基体の露出表面を天然石または人造石を粉砕して得られた骨材を含む石目層で覆って形成されていることを特徴とする、標識塔。
【請求項２】
上記標識本体は、樹脂製の中空状に形成されている、請求項１に記載の標識塔。
【請求項３】
上記標識本体は、少なくとも上記表示領域において透光性を有している、請求項２に記載の標識塔。
【請求項４】
上記標識本体の内部には、光源が配置されている、請求項３に記載の標識塔。
【請求項５】
上記塔状部は、上方に向かうほど縮径するテーパ状に形成されている、請求項４に記載の標識塔。
【請求項６】
上記塔状部は、四角錐台形状である、請求項５に記載の標識塔。
【請求項７】
上記塔状部の対向する２側面に上記表示領域が設定されている一方、上記カバー体は、上記２側面に設定された表示領域をそれぞれ外部に臨ませる２つの窓部を備える、請求項６に記載の標識塔。
【考案の詳細な説明】
【技術分野】
【０００１】
本考案は、路上や店頭に設置して使用され、交通規制のための標識や、営業内容等の広告等を示すための標識塔に関する。
【背景技術】
【０００２】
この種の標識塔としては、たとえば特許文献１に記載されたものがある。このような標識塔の一例を図５に示す。図５に示す標識塔Ｘは、接地部９１と、中空円錐状のコーン９２およびコーン９２の側面に取り付けられたカバー体９３を備えている。カバー体９３表面には、反射材９４が設けられている。カバー体９３には、反射材９４に限らず種々の標識を印刷等によって示されたものを設けることができる。
【０００３】
しかしながら、このような標識塔Ｘは、見た目に面白みがなく、設置場所によっては雰囲気にそぐわない事もあった。また、比較的軽量であるため、強風などで転倒することもあり、重石などが必要となる場合もあった。
【０００４】
【特許文献１】特開平１０−３０９９８５号公報
【考案の開示】
【考案が解決しようとする課題】
【０００５】
本考案は、上記した事情のもとで考え出されたものであって、見た目により風合いがあり、より転倒しにくい標識塔の提供を課題としている。
【課題を解決するための手段】
【０００６】
上記課題を解決するため、本考案では、次の技術的手段を講じている。
【０００７】
本考案によって提供される標識塔は、接地部、および、この接地部から上方に延出し、側面に表示領域を有する塔状部を備える標識本体と、上記標識本体に対して上方から着脱可能に套嵌され、上記表示領域を外部に臨ませる窓部を備えるカバー体と、を備える標識塔であって、上記カバー体は、発泡スチロール製の基体の露出表面を天然石または人造石を粉砕して得られた骨材を含む石目層で覆って形成されていることを特徴とする。
【０００８】
このような構成によれば、上記カバー体の外面が上記石目層によって覆われているので、上記標識塔は上記カバー体を装着することで見た目に風合いを出すことができる。特に、石目層による風合いのある外観は和風の店舗などの雰囲気に適している。逆に、石目層による風合いのある外観が相応しにくい場合には、上記カバー体を取り外して上記標識本体を露出させることも可能である。
【０００９】
好ましい実施の形態においては、上記標識本体は、樹脂製の中空状に形成されている。このような構成によれば、上記標識本体の内部に重石や光源などを入れることができる。
【００１０】
好ましい実施の形態においては、上記標識本体は、少なくとも上記表示領域において透光性を有しており、上記標識本体の内部には、光源が配置されている。このような構成によれば、上記表示領域を上記標識本体の内部から照明し、より目立たせることができる。
【００１１】
好ましい実施の形態においては、上記塔状部は、上方に向かうほど縮径するテーパ状に形成されている。より好ましくは、上記塔状部が四角錐台形状となっている。このような構成によれば、上記塔状部に上記カバー体を上方から套嵌させやすくなる。さらに、このような標識本体は、上記塔状部の重心位置が下方寄りとなるので、より転倒しにくくなっている。
【００１２】
好ましい実施の形態においては、上記塔状部の対向する２側面に上記表示領域が設定されている一方、上記カバー体は、上記２側面に設定された表示領域をそれぞれ外部に臨ませる２つの窓部を備える。このような構成によれば、上記表示領域に表示できる情報量を増加させることができる。
【００１３】
本考案のその他の特徴および利点は、添付図面を参照して以下に行う詳細な説明によって、より明らかとなろう。
【考案を実施するための最良の形態】
【００１４】
以下、本考案の好ましい実施の形態について、図面を参照して具体的に説明する。
【００１５】
図１と図２は、本考案に係る標識塔の一例を示す斜視図である。図１ないし図３に示す標識塔Ａは、標識本体１と、カバー体２と、光源装置３とを備えている。カバー体２は、標識本体１から分離可能となっており、図１では両者を分離した状態を示しており、図２には両者を組み合わせた状態を示している。図３には図２のIII-III線に沿う断面図を示している。
【００１６】
標識本体１は、高さ方向に積み重ねられた接地部１１および塔状部１２で構成されており、表示領域１ａを備えている。標識本体１は、一定の透光性を有する樹脂によって、内部が中空になるように形成されており、その内部に光源装置３を収容している。接地部１１は、各頂点が丸みを帯びた略直方体状に形成されている。塔状部１２は、各頂点が丸みを帯びるように形成された略長方形状の頂面１２ａと、４つの台形状の側面とを有する四角錐台状に形成されている。４つの側面のうちの正面側に位置する１つの側面１２ｂには表示領域１ａが設けられている。表示領域１ａには、様々な文字や図柄などを表示することができる。さらに、４つの側面のうち、側面１２ｂと対向する側面にも表示領域１ａが設けられている。
【００１７】
カバー体２は、標識本体１に対して上方からかぶせることができるように、中空の四角錐台状に形成されている。カバー体２の内面側の下端付近は、標識本体１にかぶせたときに、接地部１１と嵌合するように形成されている。さらに、カバー体２の一対の向かい合う側面には、標識本体１にカバー体２をかぶせたときに、表示領域１ａを外部に臨ませるための窓部２ａが形成されている。このカバー体２は、発泡スチロール製の基体２１と、基体２１の露出表面を覆う石目層２２とで構成されている。石目層２２は、図２に示すようにカバー体２を標識本体１にかぶせたときに外から見える部分をすべて覆うように形成されている。
【００１８】
石目層２２は、多数の有色骨材２３と、この有色骨材２３を分散固定するバインダ２４とで構成されている。有色骨材２３は、天然石または人口石を粉砕して得られた粒径２ｍｍ以下の石粒であり、本実施形態においては、色彩の異なる３種類の有色骨材２３ａ，２３ｂ、２３ｃにより構成されている。有色骨材２３ａ，２３ｂ、２３ｃの原料としては、たとえば天然石である黒御影（黒色）、赤御影（赤色）、北木石（灰色）、錆石（薄茶色）、蛇紋石（緑色）などが用いられる。バインダ２４は、空気中での乾燥硬化する合成樹脂の固化材を主成分として、増粘材や水などが適宜添加されたものである。上記固化材としては、たとえばアクリルエマルジョンが用いられる。
【００１９】
石目層２２の形成は、有色骨材２３とバインダ２４との混合材料を、スプレーガンで基体２１の外面に吹き付け、常温養生または加熱養生によって固化させることにより行うことができる。上記混合材料は、たとえば、重量比率にして有色骨材２３を８０％、固化材を１６％、増粘材を４％となるように混合し、これに適量の水または溶剤を加えたものである。より詳細には、３本のスプレーガンを使用し、各スプレーガンから有色骨材２３ａ，２３ｂ、２３ｃのうちいずれか一種とバインダ２４との混合材料を吹き付けることによって行われる。すなわち、各スプレーガンからは一種の有色骨材が他の有色骨材と混ざることなく吹きだされる。このため、基体２１には、有色骨材２３ａ，２３ｂ、２３ｃに対応する混合材料が、それぞれ適当な範囲に纏まって不規則に付着する。
【００２０】
光源装置３は、中空の標識本体１の内側に設けられており、光源３１、電源コード３２、支持脚３３、支持台３４および連結具３５を備えている。光源３１は、たとえば環状の蛍光灯などであり、電源コード３２によって外部の電源と接続されて発光することができる。支持脚３３は、金属または樹脂製の棒状部材を折り曲げて形成されており、光源３１を標識本体１の高さ方向における中程度の位置に固定し支持している。支持脚３３の下端３３ａは長方形状に折り曲げられており、連結具３５によって支持台３４に固定されている。この長方形状の下端３３ａの各頂点から上方へ向かって脚部３３ｂが延び出している。４本の脚部３３ｂは途中で折れ曲がり光源３１に向って延び、光源３１を支持している。支持台３４は、互いに直交する複数の板材３４ａ，３４ｂによって構成されており、その外輪郭は長方形状に形成されている。支持台３４は板材３４ａ，３４ｂを組み合わせたものなので隙間が多くなっており、比較的軽量となっている。
【００２１】
次に、上記した標識塔Ａの作用について説明する。
【００２２】
このような標識塔Ａは、カバー体２を装着することで、雨水等の水の浸入を防止するとともに、石目層２２による深みがあり風合いを有する外観を得ることができる。カバー体２は取り外し可能であるので、石目層２２による外観が不要な場合などは、標識本体１を単独で用いることもできる。
【００２３】
さらに、石目層２２が石粒からなる有色骨材２３を大量に含み、カバー体２の重量が接地部１１にかかるため、カバー体２が重石としても機能し、別途に重石を用意する必要もない。カバー体２は略四角錘台形状なので、その重心位置は高さ方向において低い位置にある。このため、カバー体２を装着した標識塔Ａの重心位置も低い位置となり、標識塔Ａは転倒しにくくなっている。
【００２４】
またさらに、標識塔Ａでは、光源３１を点灯させると、表示領域１ａが内側から照明され、表示領域１ａに表示された文字や図柄をより目立たせ、強い印象を与えることができる。特に、光源３１は、標識本体１の高さ方向における中程度の位置に配置されているので、表示領域１ａの全領域を好ましく照明することができる。
【００２５】
以上、本考案の具体的な実施形態を説明したが、本考案はこれに限定されるものではなく、種々な変更が可能である。たとえば、カバー体２の形状は用途にあわせて様々なデザインのものを用いることができる。また、光源３１に電球状の電源を用いてもよく、光源装置３を設けずに、標識本体１の内部を空洞にしたり、重石を入れたりしても構わない。さらにまた、支持台３４にキャスター取り付けることで、より楽に移動を行うことができるようになる。
【図面の簡単な説明】
【００２６】
【図１】本考案に係る標識塔のカバー体を外した状態を示す斜視図である。
【図２】図１に示す標識塔のカバー体をかぶせた状態を示す斜視図である。
【図３】図２のIII−III線に沿う断面図である。
【図４】本考案に係るカバー体の構造を示す要部断面図である。
【図５】従来の標識塔の一例を示す斜視図である。
【符号の説明】
【００２７】
Ａ        標識塔
１        標識本体
１ａ      表示領域
１１      接地部
１２      塔状部
１２ａ    頂面
１２ｂ    側面
２        カバー体
２ａ      窓部
２１      基体
２２      石目層
２３      有色骨材
２４      バインダ
３        光源装置
３１      光源
３２      電源コード
３３      支持脚
３３ａ    下端
３３ｂ    脚部
３４      支持台
３５      連結具
【図１】
0003134732.tif 000003
【図２】
0003134732.tif 000004
【図３】
0003134732.tif 000005
【図４】
0003134732.tif 000006
【図５】
0003134732.tif 000007